(57)【特許請求の範囲】
【請求項１】
動力源で駆動輪を回転させて水田を走行する作業者搭乗型の作業機の機体後部に竿支持部を設け、該竿支持部に進行方向に直交させた引き竿を水平に固定し、該引き竿に水田の苗間隔に対応した等間隔で設けた多数のワイヤー吊り部に苗間隔より小さい横幅の除草具を吊り下げたワイヤーの上部を係止し、前記作業機を水田の苗間に走行させつつ前記ワイヤーに吊り下げた前記除草具を引き摺って除草する水田用除草装置であって、
該水田用除草装置の除草具は、
ａ）板面が平行に対面し、板面間の間隔が板面の後方寄り中央に設けた後部軸で決められた前後に細長い略長方形の側面板と、
ｂ）中央部を鋭角に屈曲させ、内側に折り曲げた両端部を前記両側面板の前端部に設けた端部掛け孔に差し込んで接続させた金属製の牽引棒と、
ｃ）前記側面板の上下前端部に上下平行に張設した金属線材と、
ｄ）盤面中心が前記後部軸に等間隔で多数枢支された略同径の多角形円盤と、
を備えたことを特徴とする水田用除草装置。
【請求項２】
側面板間に後部軸と前後平行な中間軸を設け、該中間軸に、盤面中心が等間隔で多数枢支された略同径の円形又は多角形の円盤を、前記後部軸設けた多角形円盤の盤面と一部が対面状態且つ非接触状態となるように装着したことを特徴とする請求項１に記載の水田用除草装置。
【請求項３】
後部軸の多角形円盤間に同長の間隔保持管を設けたことを特徴とする請求項１又は２に記載の水田用除草装置。
【請求項４】
側面板の内面に、該側面板の上下前端部に張設した金属線材を巻き付けて固定するための突起を設けたことを特徴とする請求項１から３のうちいずれかに記載の水田用除草装置。
【請求項５】
側面板に重量調節用の肉盗み孔を設けたことを特徴とする請求項１から４のうちいずれかに記載の水田用除草装置。
【請求項６】
側面板間に着脱可能に連結軸を架設し、該連結軸に重量調節用の錘を設けたことを特徴とする請求項１から５のうちいずれかに記載の水田用除草装置。
【発明の詳細な説明】
【技術分野】
【０００１】
本発明は、水田の雑草を枯らすための処理をする装置に関する。
【背景技術】
【０００２】
従来、水田の除草用として、柄の先端に固定した枠体内に爪付き回転体を備えた手押し型の除草機が使用されており、例えば下記特許文献１には、長柄の先端に埋設刃付き攪拌回転体を備えた「水田雑草埋没型除草機」の提案がなされている。
このような除草機は、作業者が柄を持って前記回転体を苗間の土壌表面に滑走させることで土の抵抗により回転体を回転させ、雑草を該回転体で土中に埋没させることによって枯らせるものである。
一方、下記特許文献２には、水田の雑草の防除を目的とした大型重機である「除草ロボット」の提案がなされているが、このような「除草ロボット」は大重量なので現場までの搬送が大変困難であり、又機体は水田の柔らかい土壌に沈んで水田表面を変形させたり生育中の苗を踏みつけてしまう虞があった。
【先行技術文献】
【特許文献】
【０００３】
【特許文献１】特開平８−１４０４０８号公報
【特許文献２】特開２００７−１２９９１０号公報
【発明の概要】
【発明が解決しようとする課題】
【０００４】
上記特許文献１の如き従来の手押し型の除草機は軽いので、上記特許文献１の「除草ロボット」のように水田の表面を荒らすことがなく搬送や取り扱いが容易である反面、除草作業は作業者自身が水田中を歩行しながら行う作業となるので、水田の柔らかい土壌に足が取られて歩き難く、更に腕にも大きな負担が掛かり、多大の労力を要する等の難点があった。このように、上記従来の「除草ロボット」や「水田除草機」はどちらも一長一短があって、いずれも使い難いものであることに変わりがなかった。
本発明は上記特許文献１の如き水田における手押し除草作業の困難性を解消するため、水田上を動力で走行する搭乗形の軽量作業機に着眼し、稲の苗を傷めることなく、又作業者が水田内を歩行することなく、少ない労力で効率良く除草作業を行うことが可能となる水田用除草装置を提供することを目的とするものである。
【課題を解決するための手段】
【０００５】
本発明の水田用除草装置は、上記課題を解決するため以下の構成とした。
即ち、請求項１の発明は、動力源で駆動輪を回転させて水田を走行する作業者搭乗型の作業機の機体後部に竿支持部を設け、該竿支持部に進行方向に直交させた引き竿を水平に固定し、該引き竿に水田の苗間隔に対応した等間隔で設けた多数のワイヤー吊り部に苗間隔より小さい横幅の除草具を吊り下げたワイヤーの上部を係止し、前記作業機を水田の苗間に走行させつつ前記ワイヤーに吊り下げた前記除草具を引き摺って除草する水田用除草装置であって、該水田用除草装置の除草具は、ａ）板面が平行に対面し、板面間の間隔が板面の後方寄り中央に設けた後部軸で決められた前後に細長い略長方形の側面板と、ｂ）中央部を鋭角に屈曲させ、内側に折り曲げた両端部を前記両側面板の前端部に設けた端部掛け孔に差し込んで接続させた金属製の牽引棒と、ｃ）前記側面板の上下前端部に上下平行に張設した金属線材と、ｄ）盤面中心が前記後部軸に等間隔で多数枢支された略同径の多角形円盤と、を備えたことを特徴とする。
【０００６】
請求項２の発明は、上記発明において、前記側面板間に前記後部軸と前後平行な中間軸を設け、該中間軸に、盤面中心が等間隔で多数枢支された略同径の円形又は多角形の円盤を、前記後部軸設けた多角形円盤の盤面と一部が対面状態且つ非接触状態となるように装着したことを特徴とする。
【０００７】
請求項３発明は、上記各発明において、前記後部軸の多角形円盤間に同長の間隔保持管を設けたことを特徴とする。
【０００８】
請求項４発明は、上記各発明において、前記側面板の内面に、該側面板の上下前端部に張設した金属線材を巻き付けて固定するための突起を設けたことを特徴とする。
【０００９】
請求項５の発明は、上記各発明において、前記側面板に重量調節用の肉盗み孔を設けたことを特徴とする。
【００１０】
請求項６の発明は、上記各発明において、前記側面板間に着脱可能に連結軸を架設し、該連結軸に重量調節用の錘を設けたことを特徴とする。
【発明の効果】
【００１１】
本発明は、作業者が作業機に乗って稲の苗間を走行すると、作業機の後部に設けた引き竿で、ワイヤーで吊られた多数の除草具が水田の土壌表面に重みで下半分が埋没した状態となって一定間隔に苗が植えられた水田上を一斉に引き摺られる。
その際、側面板の前端に架設した金属線材が土中に潜って草の根に掛かり、雑草が根から引き抜かれる。そして、その引き抜かれた雑草は金属線材から落ちると、その金属線材の後方の引き摺られて回転している多角形円盤に当たり、さらに除草具全体の重みが加わって柔らかい土壌の中に押し込められる。その後この土壌中に埋込まれた雑草は、光が空気と当たらないので枯れていくこととなる。
又、この際、水田上の水は、埋没状態で引き摺られつつ多角形円盤の回転で攪拌されることで懸濁状態がしばらく続き、その間は水中の雑草への光が混濁泥土で遮られる結果、光合成が抑えられて成長が抑制される。
水田上を走行するワイヤーで吊られた除草具は、生育中の苗に当たる際、先ず牽引棒の側面が苗の根元を擦るように当たり苗間中央側に押し遣られる。この際、牽引棒の両端部は内側に折り曲げられているので苗を引っ掛けることがなく、苗を損傷させる虞が生じない。更に、前記除草具は引き摺り中に苗に当たって上下転倒しても、上下対称であるため転倒前とは変わらずに続けて除草が行える。
このように、引き竿にワイヤーで吊られた多数の除草具を水田の稲苗間を走行させることで、作業者は作業機に乗ったままで、作業中に前記除草具を監視したり点検することなく苗の植え条方向に沿った運転に集中でき、大きな労力を要せずに短時間に効率良く除草作業を行うことが可能となる。
【００１２】
請求項２に記載の発明では、前記後部軸と前後平行に円形又は多角形の円盤を備えた中間軸を設けることで、前側の円盤は雑草に載って土壌の中に雑草を押し入れ、その雑草がすぐ後側の多角形円盤で除草具の重みが加わって両者で相乗的に柔らかい土壌の中に押し込めることが可能となる。
【００１３】
請求項３に記載の発明では、多角形円盤の間隔が間隔保持管によって常に一定に保持されることで、盤面が接触されずに相互に円滑で安定的な回転を保持することが可能となる。
【００１４】
請求項４に記載の発明では、突起巻き付けることで容易に側面板に金属線材を装着でき、又金属線材が切れたときには切れた線材端部を突起から外して、新しい金属線材を再度巻き付けることで容易に張り直すことが可能となる。
【００１５】
請求項５に記載の発明では、重量調節用の肉盗み孔を設けたことで、その孔の大きさで除草具の沈み込む深さの調節が可能となる。
【００１６】
請求項６に記載の発明では、連結軸が着脱可能なので、重量調節用の錘が容易に着脱可能となり、その錘の重さを換えることで除草具の沈み込む深さをより大きく調節することが可能となる。
そして、雑草の根の成長段階に合わせた効果的な除草作業が可能となる。
【図面の簡単な説明】
【００１７】
【図１】本発明の使用状態を示す斜視図である。
【図２】本発明の使用状態を示す除草具の斜視図である。
【図３】除草具を引き竿に吊った状態を示す正面図である。
【図４】別の態様の除草具を引き竿に吊った状態を示す正面図である。
【図５】水田の苗間の移動状態を示す平面である。
【図６】除草具の平面図である。
【図７】除草具の斜視図である。
【図８】多角形円盤及び間隔保持管を外した状態を示す斜視図である。
【図９】使用状態を示す除草具の斜視図である。
【図１０】別の形態の除草具の斜視図である。
【発明を実施するための形態】
【００１８】
本発明の水田用除草装置の実施形態を、以下図に基づいて説明する。
本発明は、図１に示すように、動力源２で駆動輪３を回転させて水田を走行する作業者搭乗型の作業機１の機体後部に竿支持部４を設ける。
本発明に使用する作業機１は、図１に示すように、バイクのようにサドル３０に跨って作業者が乗って、操縦ハンドル３３を握って運転する作業機１が軽量で運搬し易く、且つ植えた苗を損傷させないように容易に操作することができるので最適である。
前記動力源２は、前記作業機１の後部に備えたモーターやエンジン等が使用でき、図１に示す場合は該動力源２から駆動軸３１を前部の駆動輪３へ連絡して該駆動輪３を回転させる仕組みとしている。又、後部には機体を水平に保つための後部支持輪３２を備える。
【００１９】
前記作業機１の機体後部に設けた竿支持部４は、進行方向に直交させた引き竿５の中間部位を支持し、そこから直立させた直立棒３４の上端と前記引き竿５の両端寄り部位に設けた吊りワイヤー支持部３８とに端部を固定させた吊りワイヤー３５を張設し、前記引き竿５の先端が吊った複数の除草具８の重みや、各除草具８を一斉に引いたときの抵抗力で垂れないように水平状態になるよう支持する。
また、その各除草具８の全体の重量や、各除草具８を引いたときの抵抗を勘案して、前記引き竿５の材質、太さ、及び長さを選択し、前記引き竿５が折れ曲がらない強度が得られるようにする。
そのため、前記引き竿５の長さは、途中で複数接続して長さ調節したり、又折り畳んだりできるようにしても良い。
【００２０】
前記引き竿５には水田の稲の苗間隔に対応した略等間隔で、多数のワイヤー吊り部６を設け、該ワイヤー吊り部６には、図２に示すように、下端部に除草具８を吊り下げたワイヤー７の上端部を係止する。
前記ワイヤー吊り部６は、図３及び図４に示すように、前記引き竿５に上下貫通したワイヤー吊り孔３６を設け、該ワイヤー吊り孔３６の下側からワイヤー７の上端部を下から差し込んで、上側の先端部に団子状の結び目などのワイヤー止め部３７を作ってワイヤー７が吊り下げられるようにする。
【００２１】
前記ワイヤー７の長さは、図３に示すように、同じ長さとするか、又は、図４に示すように、除草具８の１個分の長さ程度の差を設けて、同じ苗の間で隣り合う除草具８同士が接触しないようにすると良い。
又、前記ワイヤー７を前記引き竿５に吊る間隔は苗の間隔にできるだけ正確に合わせる方が好ましい。しかし、苗の間隔は必ずしも等間隔とは限らず、この場合には、図５に示すように、ワイヤー７が吊り下げられた除草具８が苗間を自由に移動できるので前記引き竿５に吊る間隔が多少ずれていても支障はない。
なお、図示しないが、ワイヤー吊り部６には、所定間隔に吊り輪を設け、ワイヤー７の上端には該吊り輪に掛かフックを設けることで前記吊り輪にフックで前記除草具８を随時着脱交換可能とした態様も可能である。
【００２２】
前記ワイヤー７の下端部に連結する前記除草具８は、図８に示すように、板面を平行に配した側面板９、９とその先端に接続した牽引棒１０と該側面板９、９の上下前端部に上下平行に張設した細い金属線材１１、１２と、図６及び図７に示すように、後部軸１８に等間隔で多数枢支された多角形円盤１３とを備える。
前記多角形円盤１３は、六角形とすればプラスチック板をハニカム状に打ち抜き成形できるので製造にロスがなく最も好ましく、又五角形や八角形でも良い。
【００２３】
前記牽引棒１０は、鉄などの金属製で中央部を鋭角に屈曲させ、両端部を内側に折り曲げ、該両端部１０ａ、１０ｂは前記両側面板９、９の前端部に設けた端部掛け孔１５、１５に差し込んで側面板９、９に上下擺動可能に繋ぐ。
そして、図２に示すように、前記ワイヤー７の下端部に、前記牽引棒１０の中央屈曲部１０ｃを結束又はフック等によって連結する。
前記牽引棒１０の両端部を内側に折り曲げるのは、図５に示すように、前記牽引棒１０の両端部が苗Ｎに接触したときに、苗Ｎを傷付けずに離すことができるようにするためである。
【００２４】
前記側面板９、９は、板面を平行に対面させた一対の細長い略長方形の金属製の板を用い、図８に示すように、該側面板９の板面の後方寄り中央に設けた後部軸１８で結合させて間隔を決める。
そして、前記後部軸１８には多角形円盤１３を等間隔に配して、これらを盤面中心で枢支する。
なお、図６の２７ａ、２７ｂは後部軸１８を枢支する両側のボルト孔２７ａ、２７ｂであり、２１は端部固定ナット、２０は端部固定用丸ナット、１９はネジの軸頭である。
又、該端部固定ナット２１、端部固定用丸ナット２０、ネジの軸頭１９で前記両側面板９、９を後部軸１８の両端部で固定する。
該ボルトやナット類は、苗に接触したときに、苗の側面部分を擦って損傷させることのないように前記両側面板９の外側に配される部分は角を丸めたものを用いる。
【００２５】
前記多角形円盤１３を等間隔で枢支するためは、図６に示すように、前記後部軸１９の各多角形円盤１３間に同長の間隔保持管２２を嵌めて、各多角形円盤１３間の間隔を一定に維持させる。
【００２６】
そして、前記側面板９、９の先端上下部分には金属線材１１、１２の径より深い線材掛溝１６を設ける。該線材掛溝１６は、前記側面板９、９の先端上下部分の定位置から金属線材１１、１２が脱落しないようにし、且つ、金属線材１１、１２の径より深く形成するのは前記金属線材１１、１２の前記側面板９、９で屈曲させた部分の磨耗を防ぎ、金属線材１１、１２が切れ易くなるのを防止するためである。
そして、前記側面板９、９の先端上下平行に金属線材１１、１２を前記線材掛溝１６に掛けて架設する。
【００２７】
前記側面板９、９への金属線材１１、１２の固定は、単に線材を結ぶ方法でも固定可能であるが、前記側面板９、９の先端部寄りの内面に金属線材１１、１２を巻き付け固定するための突起１７を設けることも可能である。
この突起１７には金属線材１１、１２の端部を数回巻くだけで容易に固定することができるが、更に突起１７に対して金属線材１１、１２の端部を結ぶことでより強く金属線材１１、１２を前記側面板９、９に固定する方法も可能である。
なお、該該突起１７の先端部には金属線材１１、１２の巻着部分が抜けないように釘頭の如き膨らみを形成しても良い。
又、前記金属線材１１、１２の端部を固定する別の方法として、前記線材掛溝１６に換えて、前記側面板９、９の先端部寄り部位に金属線材が１本だけ通る小孔を夫々設け、この小孔に前記金属線材１１、１２の両端部を差し込んで端部を結束することも可能である。
【００２８】
又、前記側面板９、９を金属製とすることで一定の重量により埋没する深さが確保されるが、図７に示すように、前記側面板９、９に重量調節用の肉盗み孔２９を設けることによって、該肉盗み孔２９の分だけ除草具８全体を軽くすることが可能となる。
即ち、除草具８全体の埋没深さを浅くしたい場合には孔を大きく形成することで全体を軽くすることが可能となる。
【００２９】
逆に、埋没深さを深くしたいときには、図１０に示すように、前記側面板９、９間に端部固定ナット２１で着脱可能な連結軸４０を架設し、該連結軸４０に重量調節用の錘３９を設ける形態が可能である。
該錘３９で除草具８全体を重くすると、全体が深く埋没し、土の中に雑草を深く沈めることが可能となる。
この錘３９は、数種の重さのものを用意しておけば、硬い土壌では重い錘３９を用い、柔らかい土壌では軽い錘３９を用いる等の選択ができる。この錘３９の交換は端部固定ナット２１等の固定部分を外して前記連結軸４０を抜けば容易に着脱交換を行うことが可能となる。
【００３０】
また本発明の除草具８は、図１０に示すように、中間軸２３を設けない形態と、図７に示すように、中間軸２３を設けてその中間軸２３に前記多角形や円形の円盤１４を多数枢支した形態とが可能である。
【００３１】
後者の形態では、例えば図７に示すように、前記側面板９、９間に前記後部軸１８と前後平行で同長の中間軸２３を設け、該中間軸２３に盤面中心が等間隔で多数枢支された略同径の多角形の各円盤１４を、前記後部軸１８設けた多角形円盤１３と一部を対面状態且つ非接触状態に装着する。
前記円盤１４を等間隔で枢支するため、前記中間軸２３の各円盤１４間に間隔保持管２６を設け、各円盤１４間の間隔を一定に維持できるようにすると良い。
この形態では、図９に示すように、金属線材１１、１２で根から引き抜いた雑草が、先に各円盤１４に踏み登られて土の表面に刺さり、その雑草は更にその後方の多角形円盤１３で深く土中に沈み込まれるように二段階で処理することが可能となる。
なお、図６の２８ａ、２８ｂは後部軸１８を枢支する両側のボルト孔２８ａ、２８ｂであり、２５は端部固定ナット、２４はネジの軸頭である。
【００３２】
（本発明の使用方法）
まず、作業機１の後部の竿支持部４に引き竿５を水平に固定し、その引き竿５に適宜長さに調節したワイヤー７の上端部を係止する。
ワイヤー７の長さは、図２に示すように、前記除草具８を水田に下ろし手前に引っ張ったとき、前記側面板９、９の半分以上が土壌に沈み雑草Ｋの根を引っ掛けることができるように調節する。
この調節は、（イ）ワイヤー７の上端部に縮小と拡張ができる輪を作り、その輪の絞りで、引き竿５から下部分ワイヤー７の長さを調節する態様や、（ロ）端部にフックを備えた２０〜３０ｃｍ程のワイヤーを用意し、前記ワイヤー７の上端と引き竿５との間にそのフックを備えたワイヤーを装着して除草具８を引くワイヤー全体の長さを調節可能とする態様とが可能である。
又、図1及び図３では８個の除草具８を各ワイヤー７で吊り、各ワイヤー７の長さは全部を同じ長さとした態様を示しているが、図４及び図５に示すように、各ワイヤー７は除草具８の長さ程度に差を持たせて除草具８の位置を相互にずらすと、除草具８同士の衝突が避けられる。又、除草具８は、大きいものや小さい除草具８ａなど大小各種取り揃えて置けば、雑草Ｋの成長度合いや土質等の水田の状態に合わせて用いることができる。
【００３３】
そして、図１に示すように、作業機１の後部の竿支持部４に除草具８を適宜長さに装着したら、作業機１に搭乗して除草作業を行う。
水田の除草作業は、作業者が作業機１のサドル３０に乗ってハンドル３３を操作し、苗と苗との中間の線に沿って作業機１ができるだけ直立状態となって、引き竿５が水平になるようにバランスを取りながら人の早足程度の速度で走らせる。
この際、速度が速過ぎると、除草具８が浮いてしまい除草できない虞があり、又、遅すぎると、作業能率が低下し、さらに遅いと作業機１が倒れてしまう虞がある。
そして、図２に示すように、引き竿５に吊られた除草具８が中央屈曲部１０でワイヤー７に引かれ、苗Ｎの間を前進すると、除草具８が土壌表面の雑草Ｋに当たって除草が行われる。
その際、前記引き竿５にワイヤー７で吊られた除草具８は、図９に示すように、水田の土壌表面に重みで下半分が埋没した状態となって、土壌表面に引き摺られる。
【００３４】
又、前記引き竿５にワイヤー７で吊られた多数の除草具８は、図５に示すように、水田の稲の苗Ｎを移動する際に、前記牽引棒１０の側面が苗の根元に当たるとその反動で苗Ｎ間の中央側に除草具８が自然に寄せられる。この際、牽引棒１０の両端部が苗に接触したとき、牽引棒１０の両端部は内側に折り曲げられいるのでるので苗を傷付けずに軽く接触した状態で自動的に離れる。
苗に当たった弾みで、前記除草具８は反転する可能性があるが、その場合、全体が上下対称であるので、下側の金属線材１２が上側になり、上側にあった金属線材１１が下側になって上下入れ替わって土壌に中に沈み、反転前と殆ど変わることがない。このため、運転している作業者は作業中に後ろを監視する必要がない。
【００３５】
又、雑草を土中に押し込める過程を詳しく説明すると、先ず、前記除草具８が引っ張られると、図９に示すように、側面板９、９の前端に架設した下側の金属線材１２が土中に潜って処理前の雑草Ｋ１の根を引っ掛け、その金属線材１２に掛かった雑草Ｋ２は根から引き抜かれる。
そして、その引き抜かれた雑草は金属線材１２から落ちると、金属線材１２後方に設けた多角形円盤１３に当たって除草具８全体の重みが加わり、柔らかい土Ｄの中に雑草を押し込める。そして、押し下げた雑草Ｋ３は土Ｄ中に深く埋め込まれ、その雑草Ｋ４は、土の中で光が空気と遮断されて枯れていく。
【００３６】
又、この際、水田上の水Ｓが、除草具８が半分埋没状態で引き摺られつつ金属線材１１、１２や多角形円盤１３の回転で攪拌されることで懸濁状態となり、この状態はしばらく続き、その間は水中の雑草への光が遮られて成長が抑制される。
【００３７】
以上の如く、引き竿５にワイヤー７で吊られた多数の除草具８を水田の稲苗Ｎ間を走行させることで、作業者は作業機１に乗ったまま水田内を歩行することなく、又大きな労力を要することなく、短時間に効率良く除草作業を行うことが可能となる。
この作業は、水田に水を張った一時期に行うものであり、雑草の成長が早い時期では２〜３週間に１度程度の期間を置いて雑草が小さいうちに行う。なお、背丈が稲の苗に近くなるほど大きく育った雑草を処理するには困難な場合がある。
【００３８】
除草作業が終了し、装置を移動する際には、竿支持部４から除草具８を吊ったまま引き竿５を外し、さらに引き竿５をコンパクトに折り畳んで道具箱などに収納すると、トラックなどでの運搬が容易となる。又、除草具８はワイヤー７を外せば除草具８だけを纏めて道具箱などに収納することもできる。
【産業上の利用可能性】
【００３９】
本発明の作業者搭乗型の作業機は、バイク型に限らず各種の搭乗型の水田用作業機の後部に竿支持部を設けて広く使用することが可能である。
【符号の説明】
【００４０】
１  作業機
２  動力源
３  駆動輪
４  竿支持部
５  引き竿
６  ワイヤー吊り部
７  ワイヤー
８  除草具
８ａ  小さい除草具
９  側面板
１０  牽引棒
１０ａ  牽引棒端部
１０ｂ  牽引棒端部
１０ｃ  中央屈曲部
１１  金属線材
１２  金属線材
１３  多角形円盤
１４  円盤
１５  端部掛け孔
１６  線材掛溝
１７  線材係止用突起
１８  後部軸
１９  軸頭
２０  丸ナット
２１  端部固定ナット
２２  間隔保持管
２３  中間軸
２４  軸頭
２５  端部固定ナット
２６  間隔保持管
２７ａ  ボルト孔
２７ｂ  ボルト孔
２８ａ  ボルト孔
２８ｂ  ボルト孔
２９  重量調節用肉盗み孔
３０  サドル
３１  駆動軸
３２  後部支持輪
３３  操縦ハンドル
３４  直立棒
３５  吊りワイヤー
３６  ワイヤー吊り孔
３７  ワシヤー止め部
３８  吊りワイヤー支持部
３９  重量調節用錘
４０  連結軸
Ｄ    土
Ｓ    水
Ｎ    苗
Ｋ    雑草
Ｋ１    処理前の雑草
Ｋ２    線に掛かった雑草
Ｋ３    押し下げた雑草
Ｋ４    押し込んだ雑草
【図１】
0005514241.tif 000002
【図２】
0005514241.tif 000003
【図３】
0005514241.tif 000004
【図４】
0005514241.tif 000005
【図５】
0005514241.tif 000006
【図６】
0005514241.tif 000007
【図７】
0005514241.tif 000008
【図８】
0005514241.tif 000009
【図９】
0005514241.tif 000010
【図１０】
0005514241.tif 000011